(57)【要約】本発明は、オプションとして蒸発器（１０）を有し、ファンと、加熱用熱交換器と、増設加熱装置（１４）とを備え、前記加熱用熱交換器（１２）を通過しなかった空気の少なくとも一部を、前記増設加熱装置（１４）に供給できるようになっている、特に自動車用等の暖房、換気または空調装置に関する。【選択図】図１
2004511384.tif 000002
【特許請求の範囲】
【請求項１】
オプションとしての蒸発器（１０）を有し、ファンと、加熱用熱交換器と、増設加熱装置（１４）とを備え、前記加熱用熱交換器（１２）を通過しなかった空気の少なくとも一部を、前記増設加熱装置（１４）に供給できるようになっている、自動車用の暖房、換気または空調装置。
【請求項２】
流体力学の技術的見地から、加熱用熱交換器（１２）に対し、少なくとも部分的に並列に、前記増設加熱装置（１４）を接続できるようになっている、請求項１記載の、暖房、換気または空調装置。
【請求項３】
流体力学の技術的見地から、加熱用熱交換器（１２）に対し、少なくとも部分的に並列に、前記増設加熱装置（１４）が接続されている、請求項１または２記載の、暖房、換気または空調装置。
【請求項４】
前記増設加熱装置（１４）が、実質的に逆方向に横断する部分を実際に有している、前記請求項のいずれかに記載の、暖房、換気または空調装置。
【請求項５】
前記増設加熱装置（１４）が、加熱用熱交換器（１２）にほぼ並列に延びるか、または前記増設加熱装置（１４）の故障時に内部に生じる流れ方向に対してほぼ直角に延びている、前記請求項のいずれかに記載の、暖房、換気または空調装置。
【請求項６】
前記増設加熱装置（１４）が、加熱用熱交換器（１２）にほぼ直角に延びるか、または前記増設加熱装置（１４）の故障時に内部に生じる流れ方向に対してほぼ並列に延びている、前記請求項１〜５のいずれかに記載の、暖房、換気または空調装置。
【請求項７】
前記増設加熱装置（１４）が、前記加熱用熱交換器（１２）と共にほぼＶ字状の構造を形成し、特にオプションの蒸発器（１０）が存在する場合には、この蒸発器と共に、更に加熱用前記熱交換器（１２）と共に、ほぼＮ字状の構造を形成している、請求項１〜５のいずれかに記載の、暖房、換気または空調装置。
【請求項８】
前記増設加熱装置（１４）が、前記加熱用熱交換器（１２）とほぼ並列な配置とほぼ直角な配置との間で、または前記加熱用熱交換器（１２）にほぼ直角な配向と、前記増設加熱装置（１４）の故障時に内部に設定される空気の流れ方向とほぼ並列な配向との間で枢動できるよう、移動可能に取り付けられている、前記請求項のいずれかに記載の、暖房、換気または空調装置。
【請求項９】
前記増設加熱装置（１４）が、電気加熱装置、特に少なくとも１つの正の温度係数（ＰＴＣ）加熱素子である、前記請求項のいずれかに記載の、暖房、換気または空調装置。
【発明の詳細な説明】
【０００１】
本発明は、暖房、換気または空調装置に関し、より詳細には、自動車用の暖房、換気または空調装置に関する。
【０００２】
従来、このような装置は、この装置を通して、空気を自動車の車室内へ送るためのファンを有していた。空気を加熱するために、通常、加熱用熱交換器が設けられており、この熱交換器を、例えばエンジンの冷却に使用される流体が通過できるようになっている。一般に、一方の流体制御と他方の空気圧制御とを区別する必要があり、また、ハイブリッド制御として知られる制御も公知となっている。
【０００３】
自動車が空調機能も有する場合、オプションの蒸発器も設けられており、流体力学の技術的見地から、この蒸発器は、通常加熱用熱交換器の上流部に取り付けられている。
【０００４】
近年、例えば始動時に、車室をより短時間で暖房できるように、別の加熱装置も増設されている。かかる増設加熱装置は、電気的加熱装置、燃焼加熱装置などでよいが、状態が変化する場合には、熱レギュレータを使用することも可能である。通常、かかる増設加熱装置は、加熱本体として働く加熱用熱交換器と共にかかる装置に組み込まれている。この増設加熱装置は通常、流体力学の技術的見地から、加熱用熱交換器の下流部に直接取り付けられている。
【０００５】
特に増設加熱装置に、正の温度係数の抵抗素子として知られるものが装備されている際には、増設加熱装置を熱交換器の下流側に直接取り付けることが、従来、特に有利であると考えられていた。
【０００６】
従って、一般に増設加熱装置は、車室内の空調のための技術条件を満たすよう、加熱用熱交換器を通過する空気を加熱するために使用されている。
【０００７】
しかし、増設加熱装置に関する限り、このタイプの公知の暖房、換気または空調装置は、次の理由から、損失がかなりの大きい。すなわち、加熱用熱交換器と増設加熱装置とが空間的に近いので、加熱用熱交換器は、熱放射の伝達によって加熱されるからである。
【０００８】
公知の装置は加熱用熱交換器と増設加熱装置との間の相互作用にも大きく依存した、比較的低速の応答モードも有している。
【０００９】
最後に、公知の暖房、換気または空調装置では、種々の空気処理装置を通過するように、空気をガイドできるようにする必要があり、これに関連し、車室を小さいファン動力で加熱できることが望ましい。
【００１０】
従って、本発明の目的は、上記欠点を除いた、特に自動車用の暖房、換気または空調装置を提供することにある。
【００１１】
本発明の別の目的は、種々の使用法が可能であり、すくなくとも一部の作動モードで効率を改善できる、かさばらない暖房、換気または空調装置を提供することである。
【００１２】
本発明によれば、上記目的は、請求項１に記載の特徴事項を有する暖房、換気または空調装置によって達成される。本発明に係わる装置の改良事項は、従属請求項に記載されている。
【００１３】
特に本発明は、オプションとして蒸発器を有し、ファンと、加熱用熱交換器と、増設加熱装置とを備え、前記加熱用熱交換器を通過しなかった空気の少なくとも一部を、前記増設加熱装置に供給できるようになっている、特に自動車用の暖房、換気または空調装置を提案するものである。
【００１４】
本発明によれば、処理されていない空気を、増設加熱装置に実質的に供給できるようにするか、または加熱用熱交換器を通過していない空気を、少なくとも供給できるようにするので、小さいファン動力を使用して、増設加熱装置により加熱された空気を、車室内にガイドすることができる。
【００１５】
従って、本発明に係わる装置によれば、装置内で通常の空気流通路の外に、増設加熱装置を通過するが、加熱用熱交換器を通過させないで空気をガイドする別の通路、または少なくとも部分的な空気流の通路を装置内に設けることができる。加熱用熱交換器を通過し、次に増設用加熱装置を通過する従来の空気流通路も使用できる。
【００１６】
別の利点としては、増設加熱装置で生じる圧力低下に関する条件が低くてもよいので、増設加熱装置を軽量化し、かつ小型にすることができるということが挙げられる。更に、空気流を制御する現在の手段を使った本発明の原理によると、例えば増設加熱装置の制御と空気流制御手段の各々とを結合した場合、より広い範囲の作動を得ることができる。
【００１７】
好ましい実施例では、流体力学の技術的見地から、加熱用熱交換器に対し、少なくとも部分的に並列に、前記増設加熱装置を接続できる。換言すれば、本発明によれば、ファンによって供給された空気の一部またはすべてを、加熱用熱交換器を通し、次に、増設加熱装置の少なくとも一部を通してガイドするように、空気流を制御する手段を設けることが可能である。
【００１８】
かかる作動モードは、例えば装置に組み込まれる補助暖房機能に適す。その理由は、例えば満足できる加熱パワーも供給できる増設加熱装置を空気流が通過するからである。このことは、加熱用熱交換器の両端での圧力低下が生じないことを意味する。更に、従来のように、蒸発器と加熱用熱交換器と増設加熱装置とを直列に接続した場合よりも、温度レベルをより高くできるという点で有利である。
【００１９】
流体力学の技術的見地から、前記増設加熱装置を、加熱用熱交換器に対し、少なくとも部分的に並列に接続するのが好ましい。換言すれば、加熱用熱交換器または増設加熱装置の少なくともそれぞれの部分を選択するように、同時または逐次空気が通過できるように、加熱用熱交換器と増設加熱装置とが配置されている。
【００２０】
好ましい実施例では、前記増設加熱装置は、実質的に逆方向に横断する部分を有することができる。このような構造により、空気は、例えば加熱用熱交換器を通過することなく、増設加熱装置の一部を通過できる一方、加熱用熱交換器を通過した空気の別の部分が、増設加熱装置の別の部分を通過できる。
【００２１】
加熱用熱交換器を通過できた空気、または通過できなかった空気は、増設加熱装置を第１方向に通過することも可能であり、次にこの空気の別の部分は、更に加熱されるよう、別の方向に増設加熱装置を通過することも可能である。
【００２２】
前記増設加熱装置は、加熱用熱交換器にほぼ並列に延びているか、または前記増設加熱装置の故障時に内部に生じる流れ方向に対してほぼ直角に延びているのが好ましい。並列な配向によって、直交ベクトルとして空気流ベクトルを有し、例えば加熱用熱交換器と増設加熱装置から成る、ほぼ連続した全表面を形成することが可能であり、加熱用熱交換器と増設加熱装置とをオーバーラップさせることも可能である。
【００２３】
並列な配向の別の構造として、前記増設加熱装置は、加熱用熱交換器にほぼ直角に延びているか、または前記増設加熱装置の故障時に内部に生じる流れ方向に対してほぼ並列に延びていてもよい。このような構造によって、例えば加熱用熱交換器と増設加熱装置との間に、高温空気混合ゾーンを設けることができる。このゾーンでは、空気流を制御する増設手段を使用するか、またはより冷却された空気または外気を、この混合チャンバに供給することにより、それぞれの空気流を最適に混合することができる。
【００２４】
加熱用熱交換器と増設加熱装置との間を直角な関係および並列な関係にする他に、増設加熱装置と加熱用熱交換器とを、ほぼＶ字形に配置することも可能である。特に、オプションの蒸発器が設けられる時には、この蒸発器、加熱用熱交換器および増設加熱装置を、ほぼＮ字形の配置とすることも可能である。
【００２５】
加熱用熱交換器と増設加熱装置との配置を、ほぼＶ字状とすることにより、最も広がった空気通路、例えば空気が加熱用熱交換器、次に増設加熱装置を連続して通過する第１空気通路、空気が加熱用熱交換器および増設加熱装置、または増設加熱装置の少なくとも一部を同時または並列に通過する通路、および空気が選択するように加熱用熱交換器または増設加熱装置の一部を通過する複数の空気通路を形成することが可能となる。また、これら種々の空気通路を組み合わせることも明らかに可能である。
【００２６】
蒸発器、加熱用熱交換器、および増設加熱装置の配置によって、Ｎ字状を形成した場合には、Ｓ字状のすべての空気処理装置を通るように空気を通過させる以外に、２つのブランチの間で、その都度空気流を除去したり通過させたりし、それに対応し、空気処理装置の１つ以上をバイパスさせることが可能である。
【００２７】
別の好ましい実施例では、前記増設加熱装置は、前記加熱用熱交換器とほぼ並列な配置とほぼ直角な配置との間で、または前記加熱用熱交換器とほぼ直角な配向と、前記増設加熱装置の故障時に内部に設定される空気の流れ方向にほぼ並列な配向との間で特に枢動できるよう、移動可能に取り付けられている。
【００２８】
従って、増設加熱装置の枢動構造によって、一方で必要な場合に限り、空気の通路内に増設加熱装置を配置することが可能であるが、これを使用しない場合、この枢動構造により、空気流に対する抵抗が実質的になくなり、他方、この枢動構造によって、異なる作動モードを使用することが可能となる。そのため、更に空気流の性質を改善するように、増設加熱装置を湾曲した形状にしたり、または曲がった形状にすることも可能である。
【００２９】
増設加熱装置が枢動可能となるようにこの装置を取り付けることとは別に、増設加熱装置をオフセットできるよう、またはオフセット運動と枢動運動の組み合わせを行うことができるように、この増設加熱装置を取り付けることも明らかに可能である。簡単なオフセット運動をする場合、例えば加熱用熱交換器を通過しなかった空気が、増設加熱装置を通過できる比率を変えることが可能である。
【００３０】
最後に、前記増設加熱装置は、電気加熱装置、特に少なくとも１つの正の温度係数（ＰＴＣ）加熱素子である。各ケースにおいて、特殊用空気出口を設けることができ、例えば、食べ物または飲料を加熱できる専用の加熱用の増設加熱装置を使用することが可能である。
【００３１】
添付図面を参照して、単なる例として示した、現時点で好ましい実施例の次の説明から、本発明の別の利点および特徴がより明らかとなると思う。
【００３２】
図１は、本発明の好ましい実施例である暖房、換気または空調装置を断面図で示している。この装置は、図示しないファンを有し、このファンは、空気処理装置１０、１２、１４によって処理された空気が、種々の空気出口ダクト２、４、６へ拡散できるように、空気を左側から送ることができるようになっている。
【００３３】
図示の実施例の形態では、フロントガラスの領域のために、空気出口ダクト２が設けられており、ダッシュボード内の空気デフューザ領域のために、空気出口ダクト４が設けられており、足の領域のために、空気出口ダクト６が設けられている。空気出口ダクト６は、装置を通って足の領域に向かって直接空気をガイドできるように、図の平面のほぼ内側に延びている。
【００３４】
図示の暖房、換気または空調装置は、オプションの蒸発器１０を備え、この蒸発器は、ファンが供給する空気を冷却できるように、圧縮機により、従来どおり、圧縮機によって空気を供給できるようになっている。
【００３５】
流体力学の技術的見地から、この蒸発器１０は、加熱用熱交換器１２の下流側に取り付けられており、増設加熱装置４を、この熱交換器と並列または交換器の下流側に取り付けることが可能である。
【００３６】
図示されている実施例では、増設加熱装置１４は、正の温度係数（ＰＴＣ）の抵抗素子として知られるものから構成された電気加熱装置となっている。蒸発器１０を離間した空気を、加熱用熱交換器１２と増設加熱装置１４とに同時に送ることができる。
【００３７】
図示していないが、バタフライバルブまたはシェルバルブ、ルーバーなどの形態をした、空気流を制御するための手段を、蒸発器１０に直接隣接する領域内に設け、蒸発器１０を離間する空気を、加熱用熱交換器１２または増設加熱装置１４に向けるか、または加熱用熱交換器１２または増設加熱装置１４への供給を、少なくとも部分的に変えるようにすることが可能である。
【００３８】
従って、図１から判るように、流体力学の技術的見地から、増設加熱装置１４は、加熱用熱交換器１２の下流側にはなく、むしろ逆に、外気を供給するために使用されている通路内に設けられている。
【００３９】
加熱用熱交換器１２または増設加熱装置１４を通る空気の通過は、図示の実施例では空気流を制御するための連続する手段３０、４０によって行われる。図示されている実施例では、選択に応じ、バルブの後方の横断面を開閉（図示されているような中間位置も可能である）できるシェルバルブ状をした、空気流を制御するための手段４０が、流体力学の技術的見地から増設加熱装置１４の後方に設けられている。特に、空気流を制御する手段３０、４０は、互いに結合することができる混合バルブのように作動できる。
【００４０】
流体力学の技術的見地から、２つの空気通路（空気流を制御するための手段３０、４０によって各々を制御できる）が、加熱用熱交換器１２の後方に位置している。増設加熱装置１４を通る空気の通過を制御できる、空気流を制御する手段４０は、図示のように、加熱用熱交換器１２に接続する空間の下方横断面を開閉でき、一方、バタフライバルブ状になっている空気流を制御する手段３０は、この空間の上方断面を開閉できる。
【００４１】
一旦空気が、空気流を制御する手段３０または４０を通過すると、処理された空気は、空気流を制御するそれぞれの手段２２、２４、２６によって、種々の空気出口ダクト２、４、６に分配できる。それぞれの異なる空気処理装置１０、１２、１４またはそれらの組み合わせによって処理された空気を、異なる空気出口ダクト２、４、６に供給することが可能である。
【００４２】
図１に示されている暖房、換気または空調装置を作動させる方法により、加熱用熱交換器１２を低温のままにし、フロントガラスに付着した水滴を減少させることが望ましい一つの方法について説明し、他方で、加熱用熱交換器１２がその作動温度に到達し、更にダッシュボードの領域の温度よりも、足の領域の温度のほうを高くすることが望ましい方法についても説明する。
【００４３】
上記第１の方法では、空気流を制御する手段３０、４０は、加熱用熱交換器１２を空気が通過できないように、加熱用熱交換器１２の直接後方にある空間を閉じる。これとは逆に、増設加熱装置１４を通過し、すべての空気が、この装置によって加熱されるようガイドされる。
【００４４】
図示さの実施例では、増設加熱装置１４が電気加熱装置である限り、エンジンが作動温度に達する十分前に迅速な応答が得られ、更に図示の実施例では、加熱用熱交換器１２を通過しても、圧力低下が生じないという利点が得られる。
【００４５】
この増設加熱装置１４を通過した後に、空気は、空気通路が開位置にあると、空気流を制御する手段４０を通過する。空気流を制御する手段２４、２６は閉じているので、空気は、専ら空気出口ダクト２に向かってガイドされる。
【００４６】
この空気出口ダクト２は、水滴を減少するように、フロントガラスの直接下方にて開口し、この水滴取りは、自動車のエンジンがこれを行うのに十分な熱パワーを供給できるようになる前に行われる。加熱用熱交換器１２が利用できる加熱パワーが増すにつれ、空気流を制御する手段４０を徐々に開け、空気流を制御する手段３０を、徐々に閉じることができる。
【００４７】
足の領域に、より高温の空気を送り、デフューザの領域に適度の高温の空気を送ることが望まれる、上記別の作動方法では、空気流を制御する手段３０を開位置に位置させ、空気流を制御する手段４０が、加熱用熱交換器１２に接続する空間の下方断面をブロックする。
【００４８】
従って、加熱用熱交換器１２により空気が加熱され、この場合、空気は作動温度になり、上に放出される。従って、この方法では、空気流を制御する手段２２、２４および２６を設定することにより、空気出口ダクトを閉じる。このことは、加熱用熱交換器１２内で加熱された空気のほとんどすべてを、足の領域６にある空気出口ダクトで利用できることを意味する。
【００４９】
加熱用熱交換器１２と並列に空気を増設加熱装置１４に供給できる限り、この増設加熱装置によって空気の一部を加熱し、空気流を制御する開口した手段４０を通過させ、出口ダクト４へ向けることができる。この出口ダクト４も、関連する空気流を制御する手段２４によって開口している。
【００５０】
図示の構造では、多くの作動方法を実施できる。特に、加熱用熱交換器１２の種々の状態を考慮することができる。流体力学の技術的見地から、加熱用熱交換器１２と増設加熱装置１４の少なくとも一部との並列な構造により、種々の空気流通路を使用することが可能である。ここで、一方の圧力低下と他の部分による放射に起因する加熱による熱損失も防止できる。
【００５１】
最後に、外気を供給するようになっている空気の通路内に増設加熱装置１４を配置しても、この増設加熱装置の欠点とはならないことを指摘しなければならない。その理由は、増設加熱装置の応答モードは迅速であり、関連する質量も少ないからである。
【００５２】
図２は、図１に類似した図であって、好ましい別の実施例を示す。この別の実施例では、一方で、直列に取り付けられた蒸発器、熱交換器および増設加熱装置と共に従来の空気流通路が示されており、他方で、加熱用熱交換器を通過しなかった空気が、本発明により、増設加熱装置１４を通過し、更に対応する分割壁および空気流制御手段を通過することが示されている。
【００５３】
図１に示された実施例と同じように、この実施例の暖房、換気または空調装置は、図示されていないファンと、空調に使用されるオプションの蒸発器１０と、加熱用熱交換器１２とを備えている。
【００５４】
図１に示されている実施例の場合と同じように、空気流を制御するそれぞれの手段２２、２４、２６を使用する３つの空気出口通路２、４、６が設けられている。図１に示された実施例と同じように、加熱用熱交換器に接続された空間は、この空間の上方領域または下方領域を開閉できる、空気流を制御するための２つの手段３０、４０を有する。この増設加熱装置１４は、図１に示された実施例と同じように、外気すなわち低温の空気を供給できる１つの空気通路内に設けられているが、空気出口ダクト４の上方に位置している。
【００５５】
図２に示された実施例において、図示された作動モードでは、図１に示された実施例でも可能であったように、増設加熱装置によって加熱された空気を、空気出口通路へ送ることができる。
【００５６】
しかし、図１に示された実施例とは異なり、別の作動モードも可能である。例えば、空気出口通路４のための空気を、蒸発器１０、加熱用熱交換器１２および増設加熱装置１４に次々に通過させるモードが可能である。また別の例として、足の領域とフロントガラスの領域との双方に、増設加熱装置１４によって加熱された空気を供給し、拡散器を通して、低温空気または外気をダッシュボードの領域に送る作動モードも可能である。
【００５７】
最後に、図示の実施例は、空気の一部が加熱用熱交換器１２を通過するように流れると同時に、増設加熱装置１４の少なくとも一部を通過し、空気流を制御する手段３０によって混合されるので、このモードでは、空気流を制御する手段３０が、２つの別々に加熱される空気流のための混合バルブとして作動できる作動モードも可能となる。
【００５８】
図３に示す実施例は、図２に示した実施例の改善例である。前の実施例に記載した対応する構成部品には、対応する符号を付けてあり、再度詳細に説明しない。
【００５９】
図２に示された実施例と異なり、増設加熱装置１４は、加熱用熱交換器１２と並列には延びていないが、この加熱用熱交換器と共に、ほぼＶ字形を形成している。しかし、接触している２つの分岐の代わりに、空気が増設加熱装置１４を通過できるようにする空間が設けられている。換言すれば、この実施例では、並列な３つの空気流を生じさせることが可能である。すなわち、一方で加熱用熱交換器１２を通過する空気流と、増設加熱装置１４を通過する空気流と、加熱装置１２も１４も通過しない空気流を生じさせることが可能である。
【００６０】
この実施例では、図２に示された実施例と同じように、異なる作動モードで、空気流が増設加熱装置１４を異なる方向に横断できることを指摘しなければならない。特に、底部領域用の空気出口ダクト６’も設けている図示の実施例では、例えば次のような作動モードを実施することが可能である。
【００６１】
− 加熱用熱交換器１２および増設加熱装置１４を通して空気を連続的に加熱し、出口ダクト６’を介して底部領域、または出口ダクト４を介して、空気をダッシュボードに拡散するモード
− 加熱用熱交換器１２と増設加熱装置１４との双方を通る並列な通路を通して空気を加熱し、例えばフロントガラスまで、空気出口ダクト２を介して拡散するモード。このモードでは、オプションとして、底部またはダッシュボードの領域内の外気を流入させることが可能である。
− 空気通路の他の種々の構造も可能である。当業者であれば、図面を検討すれば、このことは明らかであると思う。
【００６２】
図４は、図３に示された装置に類似する装置を示すが、この装置では、増設加熱装置１４が、外気通路の全幅を横断するように延びており、空気流に制御するための手段４０によって、異なる部分にこの装置を分割できる点が異なっている。
【００６３】
従って、蒸発器１０と加熱用熱交換器１２と増設加熱装置１４とは、上記実施例に関連して説明した作動モードに類似した、空気通路をガイドする多機能を奏するほぼＮ字形の構造を形成している。
【００６４】
この構造は、図示していないが、例えば実質的に圧力低下を生じないよう、外気を通過させることができるように、増設加熱装置１４をスライドのように前後に移動できるよう、例えば図３に示されているように、増設加熱装置１４を広くしなくてもよいことが、当業者であれば認識できよう。
【００６５】
図５に示す実施例では、増設加熱装置１４を、可能な場合には変位させることにより、図４と同じように位置させることができる。この増設加熱装置１４は、ある位置では、共に結合されない２つの部分１４’、１４”を有する。
【００６６】
この実施例では、前の実施例を考慮して、実質的に説明した装置を通過する流路を設けることが可能である。この場合、ヒーター本体１２を通過しなかった空気を、増設加熱装置１４を使って加熱できる。
【００６７】
しかし、更にこの実施例では、例えばまず空気が加熱用交換器１２を通過し、次に増設加熱装置の第１部分１４’を通過し、曲げ部の後で、実質的に逆方向に増設加熱装置１４の第２部分１４”を通過して戻るようにすることにより、例えばフロントガラスの領域に、特に高温の空気を供給することもできる。
【００６８】
図６は、本発明に係わる暖房、換気または空調装置の別の好ましい実施例を示している。この実施例では、図１に示された実施例と同じように、加熱用熱交換器１２のほぼ下方、またはこの熱交換器に連続する方向に位置できる。
【００６９】
ここに示す実施例では、中心軸線を中心として枢動できるように、増設加熱装置１４は配置されているので、一方で、図１に実質的に示された構造を形成すると共に、他方で、現在の流れ方向に実質的に位置し、流れに対する抵抗を著しく減少できる。
【００７０】
図７は、増設加熱装置１４が、実質的に加熱用熱交換器１２に対向して、この熱交換器に並列に延びる位置と、増設加熱装置１４が、低温空気通路まで延びる位置と、増設加熱装置が低温空気通路に対して横方向に延びる位置との間で枢動できるよう、流体力学の技術的見地から、出口ダクト４の後方に増設加熱装置１４が配置されている一実施例を示す。
【００７１】
この実施例では、一方で、上記第１位置において、すなわち加熱用熱交換器と増設加熱装置とを連続して通過する従来の作動をさせ、他方で、上記第２位置において、増設加熱装置１４および加熱用熱交換器１２により、空気を並列または選択的に供給することができる。
【００７２】
最後に、図８は、増設加熱装置１４が低温空気通路内の流れ方向にほぼ延びている好ましい一実施例を示している。図示の実施例では、増設加熱装置は、平らに示されているが、当業者であれば、カーブした構造、または曲がった構造が有利であることは認識されると思う。空気流が増設加熱装置を通過できるようにするために、ダブルシェルバルブ５０も設けられており、このバルブによって、増設加熱装置１４を、空気流の一部またはすべてが通過できるようになっている。
【００７３】
従って、上記実施例によれば、装置を通過する種々の流れ構造を得ることができる。従来、装置内に設けられていた空気流を制御する手段を、空気流を制御する別の手段により、必要に応じて、それらの使用時に補足することが可能である。従って、例えば混合バルブの機能を採用する空気流手段の制御によって、加熱用熱交換器から利用できる加熱パワー、外部温度および他の技術的空調パラメータを考慮することが可能となる。
【００７４】
作動パラメータに従い、それぞれの空気通路内に生じる圧力低下を最適にすることが可能である。例えば、始動の段階では、加熱用熱交換器と空気の循環とを分離し、空気をより迅速に作動温度に上昇させると共に、少なくとも増設加熱装置を通して転換させることによって、必要な加熱パワーを供給できる。
【００７５】
図示してないが、例えば位置に従って、増設加熱装置の作動を設定することも可能である。例えば、空気流が通過する位置でしか、図６に示された実施例の増設加熱装置１４を接触しないようにすることもできる。
【００７６】
更に、中心軸線を中心とする枢動運動とは別に、例えば中心からずれた軸線を中心とするある種の他の運動、または枢動運動とスライド運動とを組み合わせた運動、または図示された実施例の一部のそれぞれの平面と垂直の方向への運動を行うことも可能である。
【００７７】
以上、現在の所好ましい実施例を参照して、本発明について完全に説明したが、当業者であれば、特許請求の範囲内で、変形および変更が可能である。特に当業者であれば、所望の場合、一実施例の特徴事項と、他の実施例の特徴事項との組み合わせが可能であり、特に、制御のタイプ、例えば流体制御または空気圧制御に従って、対応する適応化を行うことが可能であることは明らかである。
【図面の簡単な説明】
【図１】
本発明に係わる暖房、換気または空調装置における第１の好ましい実施例を略断面図で示す。
【図２】
別の実施例を示す。
【図３】
図２に示された実施例の改良例を示す。
【図４】
図２および図３に示された実施例に対する更に別の改良例を示す。
【図５】
本発明に係わる暖房、換気または空調装置の更に別の実施例を略断面図で示す。
【図６】
更に別の好ましい実施例を示す。
【図７】
更に別の好ましい実施例を示す。
【図８】
更に別の好ましい実施例を示す。
【符号の説明】
２、４、６　　　　　空気出口ダクト
１０　　　　　　　　蒸発器
１２　　　　　　　　加熱用熱交換器
１４　　　　　　　　増設加熱装置
２２、２４、２６　　空気流制御手段
３０、４０　　　　　空気流制御手段
【国際公開パンフレット】
2004511384.tif 000003
2004511384.tif 000004
2004511384.tif 000005
2004511384.tif 000006
2004511384.tif 000007
2004511384.tif 000008
2004511384.tif 000009
2004511384.tif 000010
2004511384.tif 000011
2004511384.tif 000012
2004511384.tif 000013
2004511384.tif 000014
2004511384.tif 000015
2004511384.tif 000016
2004511384.tif 000017
2004511384.tif 000018
2004511384.tif 000019
2004511384.tif 000020
2004511384.tif 000021
2004511384.tif 000022
2004511384.tif 000023
2004511384.tif 000024
2004511384.tif 000025
2004511384.tif 000026
2004511384.tif 000027
2004511384.tif 000028
2004511384.tif 000029
2004511384.tif 000030
2004511384.tif 000031
2004511384.tif 000032
2004511384.tif 000033
2004511384.tif 000034
2004511384.tif 000035
【国際調査報告】
2004511384.tif 000036
2004511384.tif 000037
2004511384.tif 000038
2004511384.tif 000039
2004511384.tif 000040
2004511384.tif 000041